(57)【要約】【課題】最適な無線周波数を迅速に検出することができる血糖値測定器を提供する。【解決手段】血糖値測定器１は、無線電波を送受信するアンテナ１１と、無線電波を送信処理する送信回路１０と、無線電波を受信処理する受信回路２６と、無線電波の設計周波数を開始点とし、設計周波数よりも高い周波数と低い周波数とを交互にサーチして無線通信が成功する周波数の範囲をサーチし、通信が成功する最小周波数と最大周波数との中心周波数を最適周波数として制御する処理部８と、を含む。【選択図】図２
2009165563.tif 000002
【特許請求の範囲】
【請求項１】
無線信号を送受信するアンテナと、
前記無線信号を送信処理する送信部と、
前記無線信号を受信処理する受信部と、
前記無線信号の設計周波数を開始点とし、前記設計周波数よりも高い周波数と低い周波数とを交互にサーチして無線通信が成功する周波数の範囲をサーチし、通信が成功する最小周波数と最大周波数との中心周波数を最適周波数として制御する制御部と、
を含む血糖値測定装置。
【請求項２】
前記制御部は、所定の変化幅で周波数をサーチした後、前記変化幅よりも小さくした変化幅で前記周波数をサーチする、請求項１に記載の血糖値測定装置。
【請求項３】
前記最適周波数を記憶する記憶部をさらに含む、請求項１に記載の血糖値測定装置。
【発明の詳細な説明】
【技術分野】
【０００１】
本発明は、血糖値測定装置に係り、特に無線通信機能を持つ血糖値測定装置に関する。
【背景技術】
【０００２】
従来、血糖値測定装置、血圧、脈拍、体温、体重などの生体情報を測定し、その測定結果を無線通信などの通信方法により、携帯端末装置に送信し、携帯端末装置は医療機関などに測定データを送信する、いわゆる健康管理情報システムが知られている（例えば、特許文献１参照）。
【０００３】
このような状況下において、従来の無線通信システムは、ＩＳＭ帯の所望の周波数の電磁波を受信し、その受信信号の信号強度を検出する。また、無線通信システムは、当該信号強度の変化を測定し、その測定結果と上記周波数とを対応付けて記憶テーブルに格納する。さらに、無線通信システムは、上記記憶テーブルから、測定結果およびそれに対応付けられた周波数を外部出力する（例えば、特許文献２）。
【０００４】
【特許文献１】特開２００２−２５１４６１号公報
【特許文献２】特開２００３−１４３０５９号公報
【発明の開示】
【発明が解決しようとする課題】
【０００５】
しかしながら、特許文献２の無線通信システムでは、上記記憶テーブルに格納された周波数と信号強度とを対応付けるので、送信側の送信周波数と受信側の受信周波数とが一致しない場合、周波数のずれを考慮した通信に最適な周波数を特定することができない。このため、このような無線通信機能を持つ血糖値の測定器が、無線通信機能を持つ携帯端末装置と無線で通信を行う場合、個々の携帯端末装置に適用される無線通信用の周波数が異なるので、携帯端末装置と測定器の双方で周波数がずれ、双方で無線通信が困難になる。
【０００６】
そこで、本発明は、上記状況下においてなされたものであり、最適な無線周波数を迅速に検出することができる血糖値測定器を提供することを目的とする。
【課題を解決するための手段】
【０００７】
上記課題を解決するために、本発明は、無線信号を送受信するアンテナと、前記無線信号を送信処理する送信部と、前記無線信号を受信処理する受信部と、前記無線信号の設計周波数を開始点とし、前記設計周波数よりも高い周波数と低い周波数とを交互にサーチして無線通信が成功する周波数の範囲をサーチし、通信が成功する最小周波数と最大周波数との中心周波数を最適周波数として制御する制御部と、を含む。
【発明の効果】
【０００８】
本発明によれば、最適な無線周波数を迅速に検出することができる。
【発明を実施するための最良の形態】
【０００９】
図1は、本発明の実施の形態における血糖値測定器を含むシステム全体の一例を示している。図２は、血糖値測定器（血糖値測定装置）１および携帯端末装置５の内部構成を示すブロック図である。
図１の血糖値測定器１は、携帯端末装置５との非接触の状態で無線通信を行い、患者である使用者の血糖値データを送信可能に構成されている。このとき、まず使用者は、ストリップ２を血糖値測定器１に挿入し、使用者の血液をストリップ２先端に点着させる。そうすると、血糖値測定器１は、使用者である患者の血糖値を測定し、表示部３にその血糖値を表示する。また、血糖値測定器１は、無線電波４を用いて携帯端末装置５に当該血糖値データを送信する。これにより、携帯端末装置５は、血糖値測定器１からの血糖値データを受信し、当該血糖値データに基づいて使用者の血糖を安定させるようにコントロールする。
【００１０】
［血糖値測定器の構成］
血糖値測定器１は、ストリップ２の挿入部６、測定部７、血糖値測定器演算処理部８（以下、処理部８という）および血糖値測定器メモリ（記憶部）９（以下、メモリという）および血糖値測定器表示部３（以下、表示部３という）を有する。さらに、血糖値測定器１は、血糖値測定器送信回路（送信部）１０（以下、送信回路１０という）、血糖値測定器受信回路（受信部）２６（以下、受信回路２６という）およびアンテナ１１を有する。
【００１１】
血糖値測定器１は、無線通信により携帯端末装置５に血糖値データを送信するように構成されている。この場合、使用者は、ストリップ２を挿入部６に挿入し、血液をストリップ２の先端に点着させる。そうすると、点着された血液は、毛細管現象によりストリップ２内に形成された流路（不図示）を移動し、ストリップ２内に設けられた測定電極（不図示）に到達する。
測定部７は、血液の流れる電流を電圧に変換する。
【００１２】
処理部８は、内部に設けられたＡ/Ｄ変換器（不図示）を用いてアナログ−デジタル変換を行う。さらに、処理部８は、Ａ/Ｄ変換器の出力データを解析して血糖値を算出し、メモリ９にその血糖値データを保存する。メモリ９は、ＲＯＭ、ＲＡＭ等の記憶装置である。また、処理部８は、上記算出した血糖値を表示部３に表示する。なお、処理部８は、ＣＰＵ、マイクロコンピュータ等の処理装置である。表示部３は、表示パネル等の表示装置である。
処理部８（制御部）は、無線電波の設計周波数を開始点とし、設計周波数よりも高い周波数と低い周波数とを交互にサーチして無線通信が成功する周波数の範囲をサーチする。そして、通信が成功する最小周波数と最大周波数との中心周波数を最適周波数として制御する（この点は後述する）。
【００１３】
アンテナ１１は、所定の情報を含む無線電波（無線信号）４を空中に放射したり無線電波を受信したりするように構成されている。送信回路１０は、無線電波を送信処理する。具体的には、送信回路１０は、処理部８の出力情報（血糖値データなど）を受信してアンテナ１１から送信させるように構成されている。受信回路２６は、無線電波を受信処理する。具体的には、受信回路２６は、アンテナ１１からの無線電波を受信して処理部８に出力するように構成されている。送信回路１０および受信回路２６は、公知の変調回路や復調回路等を含んでいる。
【００１４】
［携帯端末装置の構成］
携帯端末装置５は、アンテナ１２、携帯端末装置受信回路１３（以下、受信回路１３という）、携帯端末装置送信回路１４（以下、送信回路１４という）、携帯端末装置演算処理部１５（以下、処理部１５という）、携帯端末装置表示部１６（以下、表示部１６という）および携帯端末装置データ通信ポート１７（以下、通信ポート１７という）を有する。
アンテナ１２は、所定の情報を含む無線電波を空中に放射したり無線電波を受信したりするように構成されている。受信回路１３は、アンテナ１２からの無線電波を受信して処理部８に出力するように構成されている。送信回路１４は、処理部１５の出力情報を受信してアンテナ１２から送信させるように構成されている。受信回路１３および送信回路１４は、公知の変調回路や復調回路等を含んでいる。
処理部１５は、携帯端末装置５全体の制御を行うように構成されている。処理部１５は、ＣＰＵ等の処理装置である。表示部１６は、表示パネル等の表示装置である。
データ通信ポート１７は、携帯端末装置５をネットワークに接続するために通信を行う。データ通信ポート１７により、携帯端末装置５は医療機関等のサーバと接続することができる。
【００１５】
［血糖値測定器の血糖値データの送信処理］
次に、血糖値測定器１が血糖値データを携帯端末装置５に送信する処理について説明する。ここでは、血糖値測定器１の送信回路１０が、携帯端末装置５との無線通信用の初期周波数を設定しているものとして説明する。なお、初期周波数の設定方法は後述する。
携帯端末装置５のアンテナ１２は、血糖値測定器１から送信された無線電波（血糖値データ）を受信する。受信回路１３は、アンテナ１２で受信した電波をデータに変換して、処理部１５に送信する。処理部１５は、受信回路１３からのデータを受信し、そのデータに表された血糖値データを表示部１６に表示する。これにより、使用者は、血糖値を確認する。
【００１６】
他方、表示部１６の血糖値データの表示後、使用者が何の操作もしなければ、血糖値測定器１の各部は、次のような処理を行う。すなわち、血糖値測定器１の処理部１５は、ＡＣＫ（Ａｃｋｎｏｗｌｅｄｇｍｅｎｔ）信号を応答データとして生成し、送信回路１４に送信する。ＡＣＫ信号を受信した送信回路１４は、アンテナ１２を用いて、ＡＣＫ信号を無線電波で空中に出力させる。
【００１７】
なお、携帯端末装置５が、無線電波４の混信等により、血糖値測定器１からのデータを正常に受信できなかった場合、ＮＡＫ（Ｎｅｇａｔｉｖｅ  Ａｃｋｎｏｗｌｅｄｇｍｅｎｔ）を血糖値測定器１に送信する。
血糖値測定器１の処理部８は、あらかじめ、受信回路２６がアンテナ１１から送信したのと同じ周波数で受信待ち状態に移行させている。アンテナ１１が電波を受けると、受信回路２６は、その電波をデータに変換する。処理部８は、受信回路２６から、変換されたデータを取得して解析する。そして、処理部８は、当該データが、ＡＣＫ（Ａｃｋｎｏｗｌｅｄｇｍｅｎｔ）であれば通信が成功したと判定し、他方、ＮＡＫ（Ｎｅｇａｔｉｖｅ  Ａｃｋｎｏｗｌｅｄｇｍｅｎｔ）またはタイムアウトであれば通信が失敗したと判定する。
【００１８】
［血糖値測定器および携帯端末装置のキャリブレーション処理］
次に、血糖値測定器１および携帯端末装置５のキャリブレーション処理について説明する。
携帯端末装置５および血糖値測定器１は、あらかじめ設計時に通信する周波数をお互いに取り決めて、その周波数に基づいて設計・製造されている。しかし、携帯端末装置５および血糖値測定器１の間で、通信周波数がずれ、通信ができない場合がある。
そこで、実際に測定した血糖値を送信する前に、通信対象の携帯端末装置５と血糖値測定器１の組み合わせで通信周波数のキャリブレーション処理を行い、最適な周波数を決定しておく。
【００１９】
そして、血糖値測定器１は、使用者の血糖値を測定し携帯端末装置５にその血糖値データを送信する際、携帯端末装置５との間で、キャリブレーション処理で求められた最適な周波数を用いて通信を行う。このキャリブレーション処理は、血糖値測定のたびに行う必要はなく、使用者が次のような場合に行うと有効である。すなわち、使用者が携帯端末装置５と血糖値測定器１とを個別に購入して最初に使用する場合や、使用者が携帯端末装置５を新規に購入した場合、すなわち携帯端末装置５と血糖値測定器１の組み合わせを変更した場合や、経時変化によって携帯端末装置５の周波数にずれが生じて通信が困難になった場合である。キャリブレーション処理を行った後は、使用者は、通信に最適な周波数を使用して携帯端末装置５と血糖値測定器１間の通信を行うことができる。
【００２０】
次に、図３および図４を参照して、携帯端末装置５と血糖値測定器１との間で通信を行う通信プロトコルについて説明する。
まず、図３を参照して受信側である携帯端末装置５の受信動作について説明する。携帯端末装置５は、血糖値測定器１からの通信を常時受け付けることを可能にするため、受信周期１８毎に、受信状態区間１９とスリープ区間２０を周期的に繰り返しながら電波を待ち受ける。例えば、受信周期が５秒周期の場合、０．５秒の受信状態区間が経過すると、残りの４．５秒間はスリープ状態に移行する。受信状態区間１９においては、消費電力は受信状態消費電力２１のレベル（高レベル）となり、スリープ区間２０においては、消費電力はスリープ時消費電力２２のレベル（低レベル）となる。
【００２１】
次に、図４を参照して、送信側である血糖値測定器１の送信動作について説明する。
血糖値測定器１は、血糖値の測定後、携帯端末装置５に血糖値データをパケット送信区間２５で１回の送信を行う。次に、血糖値測定器１は、携帯端末装置５の受信周期１８（図３参照）以上の時間の間、継続してパケットを送信し続ける。本実施の形態では、このようなパケットを送信し続ける区間をパケット連続送信区間２３という。
パケットデータは、血糖値データと通信に関する情報とを含む。通信に関する情報は、例えば、ＡＣＫ信号（Ａｃｋｎｏｗｌｅｄｇｍｅｎｔ）、ＮＡＫ（Ｎｅｇａｔｉｖｅ  Ａｃｋｎｏｗｌｅｄｇｍｅｎｔ）、タイムアウト等の情報を含む。パケット連続送信区間２３での消費電力は、送信状態消費電力２４のレベル（高レベル）となり、スリープ状態ではスリープ時消費電力２７のレベル（低レベル）となる。
【００２２】
血糖値測定器１は、周期的な受信動作のみを行う携帯端末装置５との通信を行うために、携帯端末装置５の受信状態区間１８については、血糖値測定器１のパケット送信区間２５の２倍以上の時間とする必要がある。例えば、パケット送信区間２５が０．２秒必要な場合、受信状態区間１９は、０．４秒以上とする必要がある。このようなパケット送信区間２５および受信状態区間１９の条件は、受信状態区間１８に少なくとも１回のパケット送信区間２５全体が含まれるために必要である。携帯端末装置５と血糖値測定器１の動作は同期していない。このため、受信状態区間１９の開始点とパケット連続送信区間２３の開始点とのタイミングがずれることとなっても、上記パケット送信区間２５および受信状態区間１９の条件が必要である。これにより、タイミングがずれても、携帯端末装置５は、血糖値測定器１からのパケットを確実に受信することができる。
【００２３】
次に、上記のように構成され通信プロトコルをもつ血糖値測定器１において血糖値データを携帯端末装置５に送信する際の周波数を決めるキャリブレーション処理を説明する。
図５はキャリブレーションの全体的な処理例を示すフローチャートである。
まず、ステップＳ２１において、血糖値測定器１は、周波数サーチに使用する周波数サーチ間隔を設定する。この周波数サーチ間隔は、初回の受信時は大きくし、次回以降の受信時は周波数を段々小さくする。例えば、初回は１００ｋＨｚ、２回目は１０ｋＨｚ、３回目は１ｋＨｚとする。さらに、血糖値測定器１は、ステップＳ２１の際に、初期周波数（例えば９１５ＭＨｚ）を設定する。この初期周波数は、あらかじめ携帯端末装置５および血糖値測定器１の通信プロトコルで取り決めた設計周波数を使用する。これにより、最適な周波数の決定・設定時間を短縮することができる。なぜなら、携帯端末装置５は、設計周波数で通信を行うように設計・製造されるので、個々の携帯端末装置の送信周波数は、設計周波数を中心としてばらつきが生じるからである。
【００２４】
次に、ステップＳ２２において、血糖値測定器１は、周波数サーチ間隔（１００ｋＨｚ）を用いて、最適な周波数の算出処理を実行し最適周波数を算出する。このときの最適周波数の算出処理は、後述で詳述する。
次に、Ｓ２３ステップにおいて、血糖値測定器１は、ステップＳ２１とステップＳ２２の繰り返しを所定回数（例えば、あらかじめ設定した回数）の処理が完了したかどうか判定する。そして、血糖値測定器１は、判定の結果、上記処理が完了している場合には（Ｓ２３のＹ）キャリブレーション処理を終了する。他方、完了していない場合には（Ｓ２３のＮ）、血糖値測定器１は、ステップＳ２１に移行し、２回目の周波数サーチ間隔を設定する（例えば１０ｋＨｚを設定する）。また、血糖値測定器１は、１回目のステップＳ２２で算出した最適周波数を２回目の初期周波数として設定する。
【００２５】
次に、血糖値測定器１は、ステップＳ２２に移行し、周波数サーチ間隔（１０ｋＨｚ）を用いて最適周波数の算出処理を実行して最適周波数を算出する。このようにして、血糖値測定器１において、３回目の実行時も、２回目の実行時と同様、２回目のステップＳ２２で算出した最適周波数を初期周波数として処理を行い、最適周波数をより精度良く算出する。
周波数サーチ間隔については、１回目よりも２回目以降の繰り返し時にはより小さく設定することにより、１回目は、広範囲の周波数帯で高速にサーチし、２回目以降は１回目より狭い範囲の周波数帯で精度良くサーチすることができる。また、血糖値測定器１は、上記繰り返し回数を減らすことにより、キャリブレーション処理を高速に完了することができる。逆に上記繰り返し回数を増やして周波数サーチ間隔を狭くすると、より精度良く最適周波数を決定することができる。
【００２６】
次に、図５のステップ２２の最適周波数算出処理について図６を参照して詳述する。なお、各ステップＳ３、Ｓ５〜Ｓ６、Ｓ９、Ｓ１１〜Ｓ１２については、最適周波数算出処理の説明後に説明する。
［通信試行処理が成功した場合］
まず、ステップＳ１の初期周波数で通信、すなわち通信試行処理が成功した場合の通信処理について説明する。
ステップＳ１においては、血糖値測定器１は、初期周波数で通信試行処理を行う。
【００２７】
次に、ステップＳ２において、血糖値測定器１は、上記通信試行処理の通信結果を判定する。この判定の結果、通信成功の場合には（Ｓ２のＹ）、血糖値測定器１は、通信が失敗する周波数をサーチする（ステップＳ３）。具体的には、血糖値測定器１は、ステップＳ３の際、初期周波数よりも高い方向と低い方向の交互に順次オフセットを大きくしながら通信試行処理を行い、通信が失敗する周波数をサーチする。
【００２８】
次に、ステップＳ４において、血糖値測定器１は、最初に通信が失敗した周波数が初期周波数よりも高いと判断した場合（Ｓ４のＹ）、Ｓ５ステップに移行する。ステップＳ５では、血糖値測定器１は、初期周波数から低くなる方向に通信が失敗する周波数をサーチし、ステップＳ７に進む。
他方、血糖値測定器１は、最初に通信が失敗した周波数が初期周波数よりも低いと判断した場合（Ｓ４のＮ）、初期周波数から高くなる方向に通信が失敗する周波数をサーチし（ステップＳ６）、ステップＳ７に進む。
【００２９】
次に、ステップＳ７において、血糖値測定器１は、上記サーチした周波数から、最適周波数を算出する。具体的には、血糖値測定器１は、Ｓ７ステップの際、ステップＳ５でサーチした最小の周波数と、ステップＳ６でサーチした最大の周波数との平均値を算出して最適周波数とする。
【００３０】
次に、ステップＳ８において、血糖値測定器１は、算出した最適周波数をメモリ９に保存する。
【００３１】
［通信試行処理が失敗した場合］
次に、ステップＳ１の初期周波数で通信、すなわち通信試行処理が失敗した場合の通信処理について説明する。
ステップＳ１において、血糖値測定器１は、初期周波数で通信試行処理を行う。
【００３２】
次に、ステップＳ２において、血糖値測定器１は、上記通信試行処理の通信結果を判定する。この判定の結果、通信失敗の場合には（Ｓ２のＮ）、血糖値測定器１は、通信が成功する周波数をサーチし（ステップＳ９）、ステップＳ１０に進む。
【００３３】
ステップＳ１０において、血糖値測定器１は、サーチした周波数が初期周波数よりも高いかどうか判定する。この判定の結果、初期周波数より高い場合（ステップＳ１０のＹ）、血糖値測定器１は、ステップＳ１１に移行する。
【００３４】
ステップＳ１１において、血糖値測定器１は、高い方向に通信が失敗する周波数をサーチし、ステップＳ７に進む。Ｓ７ステップでは、血糖値測定器１は、通信が成功する最小周波数と通信が成功する最大周波数との平均値を算出して最適周波数を求める。そして、血糖値測定器１は、その最適周波数をメモリ９に保存する。
【００３５】
以下、各ステップＳ３、Ｓ５〜Ｓ６、Ｓ９、Ｓ１１〜Ｓ１２について説明する。
まず、ステップＳ３のサーチ処理について図７を参照して説明する。なお、図７の横軸は、キャリブレーション処理で使用される通信電波周波数を表す。図７では、一定のサーチ間隔（例えば図７の周波数サーチ間隔５０）毎にサーチ処理が行われる。なお、このサーチ間隔は、前述したとおり、最適周波数の決定処理が行われる毎に小さくなる。
【００３６】
ステップＳ３では、血糖値測定器１は、まず、ステップＳ１で通信した初期周波数４３に所定の周波数サーチオフセット値（以下、オフセット値という）５２（例えば１００ｋＨｚ）を減じて通信試行処理を行う。そして、血糖値測定器１は、通信が成功したかどうか判定した後、初期周波数４３に周波数サーチオフセット値５２を加算して通信試行処理を行い通信が成功したかどうか判定する。
次に、血糖値測定器１は、周波数サーチオフセット値５２に周波数サーチ間隔５０を加算し（その結果、例えば２００ｋＨｚ）、初期周波数４３から周波数サーチオフセット値５２を減じて通信試行処理を行い、通信が成功したかどうか判定する。
次に、血糖値測定器１は、初期周波数４３に周波数サーチオフセット値５２を加算して通信試行処理を行い、通信が成功したかどうか判定する。
【００３７】
このようにして、血糖値測定器１は、携帯端末装置５との通信が失敗するまでの間、周波数サーチオフセット値５２に周波数サーチ間隔５０を加算しながら、初期周波数を減算あるいは加算して通信試行処理を行う。そして、血糖値測定器１は、通信が失敗した周波数、すなわち通信失敗周波数（高）４８に至るまで処理を連続して行う。
【００３８】
ここで、通信成功最大周波数４５は、血糖値測定器１が通信成功した最大の周波数であり、図７では、初期周波数４３から周波数サーチ間隔５０分を通信失敗周波数（高）４８に近づけた側の周波数となっている。例えば、血糖値測定器１が、２４５０．２ＭＨｚの周波数で通信試行処理に初めて失敗した場合、通信失敗周波数（高）４８（例えば２４５０．２ＭＨｚ）は、初期周波数４３（例えば２４５０ＭＨｚ）よりも高くなるので、通信成功最大周波数４５は２４５０．１ＭＨｚとなる。
【００３９】
次に、ステップＳ５およびＳ６の各サーチ処理について図８を参照して説明する。
ステップＳ５では、血糖値測定器１は、通信試行処理が成功する最小の周波数をサーチする処理を行う。このとき、血糖値測定器１は、ステップＳ３で最初に通信試行処理が失敗するのを判定した方向とは逆の方向（すなわち、初期周波数４３より低くなる方向）にサーチを継続する。血糖値測定器１は、通信が失敗する通信失敗周波数（低）４７に至るまでサーチを続ける。
図８の通信成功最小周波数４４は、通信失敗周波数（低）４７に至る直前の周波数となっている。ステップＳ６のサーチでは、ステップＳ５のサーチと逆の方向（初期周波数４３より低くなる方向）にサーチする以外は同様のサーチを行う。
【００４０】
次に、ステップＳ９のサーチ処理について図９を参照して説明する。
ステップＳ９では、まず血糖値測定器１は、ステップＳ１で通信した初期周波数４３に所定の周波数サーチオフセット値５２（例えば１００ｋＨｚ）を減じて通信試行処理を行い、通信が成功したかどうか判定する。
次に、血糖値測定器１は、初期周波数４３に周波数サーチオフセット値５２を加算して通信試行処理を行い、通信が成功したかどうか判定する。次に、血糖値測定器１は、周波数サーチオフセット値５２に周波数サーチ間隔５０を加算して、（例えば２００ｋＨｚ）、初期周波数４３から周波数サーチオフセット値５２を減じる。そして、血糖値測定器１は、通信試行処理を行い通信が成功したかどうか判定する、
さらに、血糖値測定器１は、初期周波数４３に加算して通信試行処理を行い、通信が成功したかどうか判定する。
このようにして、血糖値測定器１は、通信が成功するまでの間、周波数サーチオフセット値５２を増加しながら、初期周波数４３に減算または加算して通信試行処理を行う。血糖値測定器１は、通信成功最小周波数４４に至るまでの間、サーチ処理を連続して行う。
【００４１】
次に、ステップＳ１１およびＳ１２の各サーチ処理について図１０を参照して説明する。
ステップＳ１１では、血糖値測定器１は、通信試行処理が成功する最大の周波数をサーチする処理を行う。このとき、血糖値測定器１は、ステップＳ９において、最初に通信試行処理が成功した通信成功最小周波数４４から、周波数がより高くなる方向にサーチする。そして、血糖値測定器１は、通信が失敗する通信失敗周波数（高）４８に至るまでの間、サーチ処理を連続して行う。
図１０の通信成功最大周波数４５は、通信失敗周波数（高）４８から、初期周波数４３側に周波数サーチ間隔５０（図７参照）分近づけた周波数である。ステップＳ１２のサーチは、ステップＳ１１のサーチと逆の方向（より高くなる方向）にサーチする以外は、同様の処理である。
【００４２】
以上のように、実施の形態によると、血糖値測定器１は、キャリブレーション処理を設計周波数から周波数サーチを行い、通信成功最小周波数と通信成功最大周波数を求めて最適周波数とする。これにより、低消費電力が要求される血糖値測定器は、個々の装置毎に異なる通信周波数のばらつきを吸収して最適周波数を迅速に検出することができるので、例えば携帯端末装置５と通信を円滑に行うことができる。
【産業上の利用可能性】
【００４３】
本発明の無線通信システムは、省電力を実現しながら無線送信装置と無線受信装置の周波数の個体差を吸収して通信可能とする効果があるので、電池駆動の携帯型の無線通信システム等の用途に有用である。
【図面の簡単な説明】
【００４４】
【図１】本発明の実施の形態における血糖値測定器を含むシステム全体の一例において、無線通信を利用して血糖値を測定する場合の状況を示す図
【図２】本発明の実施の形態における血糖値測定器および携帯端末装置の内部構成を示すブロック図
【図３】図２の携帯端末装置の受信動作を示す図
【図４】図２の血糖値測定器の送信動作を示す図
【図５】キャリブレーションの全体的な処理例を示すフローチャート
【図６】図５のステップ２２の最適周波数算出処理を示すフローチャート
【図７】図６のステップＳ３のサーチ処理を示すフローチャート
【図８】図６のステップＳ５のサーチ処理を示すフローチャート
【図９】図６のステップＳ９のサーチ処理を示すフローチャート
【図１０】図６のステップＳ１１のサーチ処理を示すフローチャート
【符号の説明】
【００４５】
１  血糖値測定器
２  ストリップ
３  血糖値測定器表示部
４  無線電波
５  携帯端末装置
６  挿入部
７  測定部
８  血糖値測定器演算処理部
９  血糖値測定器メモリ
１０  血糖値測定器送信回路
１１  血糖値測定器アンテナ
１２  携帯端末装置アンテナ
１３  携帯端末装置受信回路
１４  携帯端末装置送信回路
１５  携帯端末装置演算処理部
１６  携帯端末装置表示部
１７  携帯端末装置データ通信ポート
【図１】
2009165563.tif 000003
【図２】
2009165563.tif 000004
【図３】
2009165563.tif 000005
【図４】
2009165563.tif 000006
【図５】
2009165563.tif 000007
【図６】
2009165563.tif 000008
【図７】
2009165563.tif 000009
【図８】
2009165563.tif 000010
【図９】
2009165563.tif 000011
【図１０】
2009165563.tif 000012